(57)【要約】本発明は、通信ネットワーク内における第１の通信デバイスのランダムアクセス送信電力設定を決定するための、第１の通信デバイスで実行される方法に関する。本方法は、第２の通信デバイスから無線チャネルで、ランダムアクセス受信電力を示すデータの受信（４２）を備える。第１の通信デバイスは、受信データと、第２の通信デバイスにおけるランダムアクセス検出性能に影響を及ぼすランダムアクセス設定パラメータとに基づき、第２の通信デバイスにおける所望のランダムアクセス受信電力を決定する（４４）。所望のランダムアクセス受信電力に基づき、第１の通信デバイスは、使用する所望のランダムアクセス送信電力を決定し（４６）、使用するランダムアクセス送信の決定値に従って、第１の通信デバイスのランダムアクセス送信電力設定を決定する（４８）。
2011511515.tif 000002
【特許請求の範囲】
【請求項１】
通信ネットワーク内に位置する第１通信装置において前記第１通信装置についてのランダムアクセス送信電力設定を決定する方法であって、
無線チャネルを介して第２通信装置からランダムアクセス受信電力を示すデータを受信するステップと、
前記受信したデータと、前記第２通信装置におけるランダムアクセスの検出性能に影響を及ぼすランダムアクセス設定のパラメータとに基づいて、前記第２通信装置が必要とする所望のランダムアクセス受信電力を決定するステップと、
前記所望のランダムアクセス受信電力に基づいて、使用すべきランダムアクセス送信電力を決定するステップと、
前記決定したランダムアクセス送信電力に基づいて、ランダムアクセス送信電力設定を決定するステップと
を有することを特徴とする方法。
【請求項２】
前記受信したデータは、ランダムアクセス受信電力を登録したテーブルにおいて、信号伝達されたランダムアクセス受信電力を示すポインタ値を含み、
前記第２通信装置が必要とする所望のランダムアクセス受信電力を決定する前記ステップは、前記信号伝達されたランダムアクセス受信電力と、前記ランダムアクセス設定のパラメータとに基づいて実行されることを特徴とする請求項１に記載の方法。
【請求項３】
前記第２通信装置が必要とする所望のランダムアクセス受信電力を決定する前記ステップは、
前記信号伝達されたランダムアクセス受信電力に対して、前記ランダムアクセス設定のパラメータに基づいたオフセット値を加算または減算することで、前記所望のランダムアクセス受信電力を決定するステップ
を含むことを特徴とする請求項２に記載の方法。
【請求項４】
前記受信したデータは、所望のランダムアクセス受信電力を登録したテーブルにおいて、所望のランダムアクセス受信電力を示すポインタ値を含み、
前記第２通信装置が必要とする所望のランダムアクセス受信電力を決定する前記ステップは、
前記ランダムアクセス設定のパラメータとともに、前記テーブルにおいて前記ポインタ値を使用するステップ
を含むことを特徴とする請求項１に記載の方法。
【請求項５】
前記テーブルは、複数の行と複数の列を含み、
前記複数の行と前記複数の列は、複数のポインタ値と、複数の前記ランダムアクセス設定のパラメータの値とによって定義されていることを特徴とする請求項４に記載の方法。
【請求項６】
前記ランダムアクセス送信電力設定を使用してランダムアクセスを実行するステップをさらに有することを特徴とする請求項１ないし５のいずれか１項に記載の方法。
【請求項７】
前記使用すべきランダムアクセス送信電力設定を決定する前記ステップは、
前記第１通信装置と前記第２通信装置との間で発生する電力の経路損失を考慮するステップ
を含むことを特徴とする請求項１ないし６のいずれか１項に記載の方法。
【請求項８】
前記ランダムアクセス設定のパラメータは、
プリアンブルフォーマットと、
前記ランダムアクセス設定の基本循環シフト値と
の少なくとも一方を含むことを特徴とする請求項１ないし７のいずれか１項に記載の方法。
【請求項９】
ランダムアクセスを検出するためにランダムアクセス受信電力を示すデータを無線チャネルを介して第２通信装置から受信する受信部を備えた第１通信装置であって、
前記受信したデータと、前記第２通信装置におけるランダムアクセスの検出性能に影響を及ぼすランダムアクセス設定のパラメータとに基づいて、前記第２通信装置が必要とする所望のランダムアクセス受信電力を決定し、前記所望のランダムアクセス受信電力に基づいて、ランダムアクセス送信電力設定を決定する制御部を備えることを特徴とする第１通信装置。
【請求項１０】
前記受信したデータは、前記第１通信装置が備えるメモリに記憶され、ランダムアクセス受信電力を登録したテーブルにおいて、信号伝達されたランダムアクセス受信電力を示すポインタ値を含み、
前記制御部は、
前記信号伝達されたランダムアクセス受信電力と、前記ランダムアクセス設定のパラメータとに基づいて、前記所望のランダムアクセス受信電力を決定することを特徴とする請求項９に記載の第１通信装置。
【請求項１１】
前記制御部は、
前記信号伝達されたランダムアクセス受信電力に対して、前記ランダムアクセス設定のパラメータに基づいたオフセット値を加算または減算することで、前記所望のランダムアクセス受信電力を算出する
ことを特徴とする請求項１０に記載の第１通信装置。
【請求項１２】
前記受信したデータは、前記第１通信装置が備えるメモリに記憶され、所望のランダムアクセス受信電力を登録したテーブルにおいて、所望のランダムアクセス受信電力を示すポインタ値を含み、
前記制御部は、
前記ランダムアクセス設定のパラメータとともに、前記テーブルにおいて前記ポインタ値を使用して、前記所望のランダムアクセス受信電力を決定することを特徴とする請求項９に記載の第１通信装置。
【請求項１３】
前記テーブルは、複数の行と複数の列を含み、
前記複数の行と前記複数の列は、複数のポインタ値と、複数の前記ランダムアクセス設定のパラメータの値とによって定義されていることを特徴とする請求項１２に記載の第１通信装置。
【請求項１４】
前記制御部は、
前記ランダムアクセス送信電力設定を使用して、前記第１通信装置が備える送信部を通じてランダムアクセスリクエストを送信することによって、ランダムアクセスを実行することを特徴とする請求項９ないし１３のいずれか１項に記載の第１通信装置。
【請求項１５】
前記制御部は、
前記第１通信装置と前記第２通信装置との間で発生する電力の経路損失を考慮して、ランダムアクセス送信電力を決定することを特徴とする請求項９ないし１４のいずれか１項に記載の第１通信装置。
【請求項１６】
前記ランダムアクセス設定のパラメータは、
プリアンブルフォーマットと、
前記ランダムアクセス設定の基本循環シフト値と
の少なくとも一方を含むことを特徴とする請求項９ないし１５のいずれか１項に記載の第１通信装置。
【請求項１７】
通信ネットワークにおいて無線チャネルを介してデータ送信する第２通信装置において実行される方法であって、
ランダムアクセス設定のパラメータを使用して第１通信装置から送信されるランダムアクセスリクエストを検出できるように前記第１通信装置からのランダムアクセスリクエストについての所望のランダムアクセス受信電力を決定するステップと、
前記所望のランダムアクセス受信電力とランダムアクセス設定のパラメータとに基づいてデータを決定するステップと、
無線チャネルを介して前記第１通信装置へ前記決定したデータを送信するステップと
を有することを特徴とする方法。
【請求項１８】
前記データを決定する前記ステップは、
前記データに搭載されることになるポインタ値を決定するステップ
を含み、
信号伝達されるランダムアクセス受信電力が、前記所望のランダムアクセス受信電力と前記ランダムアクセス設定のパラメータとに基づいて決定され、
前記決定した信号伝達されるランダムアクセス受信電力は、信号伝達されるランダムアクセス受信電力を登録したテーブルから抽出されたポインタ値によって示され、該ポインタ値が前記データに搭載される
ことを特徴とする請求項１７に記載の方法。
【請求項１９】
前記信号伝達されるランダムアクセス受信電力は、前記所望のランダムアクセス受信電力と、前記ランダムアクセス設定のパラメータに基づいたオフセット値とから算出されることを特徴とする請求項１８に記載の方法。
【請求項２０】
前記送信されるデータには、ポインタ値が含まれ、
前記データを決定する前記ステップは、所望のランダムアクセス受信電力を登録したテーブルから前記ポインタ値を決定するステップを含み、
前記ポインタ値は、前記決定した所望のランダムアクセス受信電力と前記ランダムアクセス設定のパラメータの値とに基づいて決定される
ことを特徴とする請求項１７に記載の方法。
【請求項２１】
前記所望のランダムアクセス受信電力を登録したテーブルは、複数の行と複数の列を含み、
前記複数の行と前記複数の列は、複数のポインタ値と、複数の前記ランダムアクセス設定のパラメータの値とによって定義されている
ことを特徴とする請求項２０に記載の方法。
【請求項２２】
前記ランダムアクセス設定のパラメータは、
プリアンブルフォーマットと、
前記ランダムアクセス設定の基本循環シフト値と
の少なくとも一方を含むことを特徴とする請求項１７ないし２１のいずれか１項に記載の方法。
【請求項２３】
第１通信装置から送信されるランダムアクセスリクエストを第２通信装置が検出できるように前記第１通信装置からのランダムアクセスリクエストについての所望のランダムアクセス受信電力を決定する制御部を備えた前記第２通信装置であって、
前記制御部は、
前記所望のランダムアクセス受信電力とランダムアクセス設定のパラメータとに基づいてデータを決定するように構成されており、
前記第２通信装置はさらに、
無線チャネルを介して前記第１通信装置へ前記決定したデータを送信する送信部
を備えることを特徴とする第２通信装置。
【請求項２４】
前記制御部は、
前記所望のランダムアクセス受信電力と、メモリ部に記憶されている前記ランダムアクセス設定のパラメータとに基づいて、信号伝達することになるランダムアクセス受信電力を決定し、
前記決定した信号伝達することになるランダムアクセス受信電力に基づいて、信号伝達することになるランダムアクセス受信電力を登録したテーブルからポインタ値を決定するように構成されており、
前記ポインタ値が前記データに搭載される
ことを特徴とする請求項２３に記載の第２通信装置。
【請求項２５】
前記制御部は、
前記所望のランダムアクセス受信電力と、前記ランダムアクセス設定のパラメータに関連したオフセット値とを使用して、前記信号伝達することになるランダムアクセス受信電力を算出するように構成されている
ことを特徴とする請求項２４に記載の第２通信装置。
【請求項２６】
前記送信されるデータには、ポインタ値が含まれ、
前記制御部は、所望のランダムアクセス受信電力を登録したテーブルから前記ポインタ値を決定することによって、前記データを決定し、
前記ポインタ値は、前記決定した所望のランダムアクセス受信電力と前記ランダムアクセス設定のパラメータの値とに基づいて決定される
ことを特徴とする請求項２３に記載の第２通信装置。
【請求項２７】
前記所望のランダムアクセス受信電力を登録したテーブルは、複数の行と複数の列を含み、
前記複数の行と前記複数の列は、複数のポインタ値と、複数の前記ランダムアクセス設定のパラメータの値とによって定義されている
ことを特徴とする請求項２６に記載の第２通信装置。
【請求項２８】
前記ランダムアクセス設定のパラメータは、
プリアンブルフォーマットと、
前記ランダムアクセス設定の基本循環シフト値と
の少なくとも一方を含むことを特徴とする請求項２３ないし２７のいずれか１項に記載の第２通信装置。
【発明の詳細な説明】
【技術分野】
【０００１】
本発明は、通信ネットワークにおける方法およびデバイスに関し、特に、通信デバイスのランダムアクセス送信電力設定を決定する方法およびデバイスに関する。
【背景技術】
【０００２】
現代のセルラ無線システムでは、無線ネットワークがユーザ装置ＵＥの動作を厳密に制御している。周波数、送信タイミングおよび送信電力のようなアップリンク送信パラメータは、基地局からＵＥへのダウンリンクＤＬ制御シグナリングによって調整されている。
【０００３】
電源投入時または長い待機時間の後では、ＵＥはアップリンクに同期していない。それ故、ネットワークにアクセスする第１のステップは、ネットワークとの同期を獲得することである。これは、ＵＥがダウンリンク信号を受信し、この信号からダウンリンクタイミング同期、周波数誤り推定値、さらにＤＬ経路損失の推定値を取得することによってたいてい行われる。これでＵＥはＤＬについて時間同期するようになるが、ＵＥから送信される信号は、往復（ラウンドトリップ）時間が分かっていないために、基地局における所望の受信タイミングに依然として合っていない。それ故、トラヒックを開始する前に、ＵＥは、ネットワークへのランダムアクセス（ＲＡ）手順を実行しなければならない。ＲＡ後、ｅＮｏｄｅＢは、ＵＥアップリンクのタイミング不整合量を推定し、それを修正するためのメッセージを送信してもよい。ランダムアクセス手順は、同期しているがデータ送信のための有効なアップリンク割り当てを持たないＵＥが、その割り当てを要求するためにも、使用してもよい。
【０００４】
ＵＥからネットワークへアクセスを要求するために、たいてい、物理ランダムアクセスチャネル（ＰＲＡＣＨ）が提供される。自己相関特性の高い特定のシーケンスを有するプリアンブルを含むアクセスバーストが使用される。ＰＲＡＣＨは、トラヒックチャネルに対して直交していてもよい。例えばＧＳＭでは、特別のＰＲＡＣＨスロットが規定されている。複数のＵＥが同時にアクセスを要求できるので、要求しているＵＥ間で衝突が起こることがある。それ故、ＬＴＥでは、複数のＲＡプリアンブルを規定している。ＲＡを行うＵＥがプリアンブルのプールの中から１つを選び、それを送信する。プリアンブルは、ｅＮｏｄｅＢがＵＥにネットワークへのアクセスを許可するときに使用するランダムＵＥ  ＩＤに相当する。
【０００５】
ｅＮｏｄｅＢ受信部は、異なるプリアンブルで行われたＲＡ試行を判別し、対応するランダムＵＥ  ＩＤを使用して各ＵＥに応答メッセージを送信する。複数のＵＥが同じプリアンブルを同時に使用する場合は衝突が起こり、ｅＮｏｄｅＢが同じランダムＵＥ  ＩＤを有する２人のユーザを区別できなくなってしまう。この場合、いずれのＲＡ試行も成功しないだろう。ＬＴＥでは、各セルに６４のプリアンブルが用意されている。あるセルのＲＡが隣接セルのＲＡイベントをトリガしないことを保証するために、隣接セルに割り当てられるプリアンブルは通常異なっている。それ故、現在のセルでＲＡに使用されてもよいプリアンブルのセットの情報が、ブロードキャストされなければならない。
【０００６】
ＵＥがＲＡプリアンブルを送信するために使用する送信電力は、通常は開ループ電力制御によって計算される。ＵＥは、送信電力が既知のダウンリンク信号、例えば基準信号または同期信号などの受信電力を測定し、ＤＬ経路損失を計算する。経路損失を推定するために使用される信号電力は既知でなければならないので、この信号は、最初のアクセスでブロードキャストされるか、または、ハンドオーバにおける専用シグナリングのどちらかによって、ＵＥに伝えられなければならない。
【０００７】
経路損失は、以下のように計算される。
ＰＬ＝ＰＲＳ，ＲＸ−ＰＲＳ，ＴＸ
上式でＰＲＳ，ＲＸおよびＰＲＳ，ＴＸは、経路損失推定に用いられる信号のｄＢｍ単位のそれぞれ受信電力および送信電力である。
【０００８】
ＲＡ受信に関して一定の品質基準を維持するためには、基地局における最小信号対雑音（干渉）比を維持することが必要である。基地局は、現在の干渉状況を認識している。従って、必要な品質基準を満足するために基地局においてＲＡ信号が満足しなければならない最小必要信号電力Ｐ０，ＲＡＣＨを、基地局は、計算することができる。この最小必要信号電力のレベルは、ＵＥにも伝えられる。この電力レベルを、前に計算した経路損失と一緒に使用することで、ＵＥは、基地局における最小必要信号電力レベルＰ０，ＲＡＣＨを達成するために必要となる送信電力ＰＲＡＣＨを算出する。
ＰＲＡＣＨ＝ｍｉｎ｛Ｐ０，ＲＡＣＨ−ＰＬ＋（Ｎ−１）ΔＲＡＣＨ，Ｐｍａｘ｝
この式は、ＤＬで計算された経路損失がＵＬの経路損失と同じであることを含意しているが、これは通常、ＦＤＤシステムには当てはまらない。それ故、ＦＤＤシステムにとって開ループ電力制御はかなり粗いメカニズムである。この限界を克服するために、非常に多くの場合にパワーランピングが適用されている。パワーランピングは、続いて行われる各試行が、送信電力をΔＲＡＣＨだけずつ増加して実行される方式である。上式では、これは（Ｎ−１）・ΔＲＡＣＨの項に反映されており、ここで、Ｎは送信試行回数である。
【０００９】
ｅＮｏｄｅＢにおける干渉レベル、それ故に必要となる目標受信電力Ｐ０，ＲＡＣＨも、多くの要因に依存し、広い範囲にわたって変わりうる。通常Ｐ０，ＲＡＣＨは、かなり少ないビット数例えば４ビットで符号化されて送信され、約３０ｄＢの範囲にわたる。
【先行技術文献】
【特許文献】
【００１０】
【特許文献１】−
【非特許文献】
【００１１】
【非特許文献１】−
【発明の概要】
【発明が解決しようとする課題】
【００１２】
ＬＴＥシステムは、ピコセルから最大１００ｋｍ以上の非常に大きなセルまでの広範囲のシナリオで配備されることが期待されている。ＲＡはＵＥがネットワークにアクセスするために行う最初の手順であるので、予想されるすべてのシナリオにおいてランダムアクセスが正常に機能することが非常に重要である。ＲＡに失敗すると、ＵＥはネットワークにアクセスできない。
【００１３】
満足できるＲＡ性能を保証するために、ＬＴＥ規格では、複数のプリアンブルフォーマットを規定している。ＦＤＤモードに関しては、４つのプリアンブルを規定しており、ＴＤＤモードでは、追加の第５のプリアンブルの仕様さえ定めている。これらのプリアンブルのいくつかは、大きいセル用に計画されており、従って他のプリアンブルより長い。受信電力およびその結果としてランダムアクセス手順の性能は、ＲＡ構成により影響を受ける。
【課題を解決するための手段】
【００１４】
本明細書の実施形態の一目的は、効率的なランダムアクセス手順を実現することである。
【００１５】
実施形態は、通信ネットワーク内における第１の通信デバイス（通信装置）のランダムアクセス送信電力設定を第１の通信デバイスにおいて決定する方法に関する。
【００１６】
第１の通信デバイスは、第２の通信デバイスから送信される無線チャネルでランダムアクセス受信電力を示すデータを受信する。次いで第１の通信デバイスは、受信データと、第２の通信デバイスにおけるランダムアクセス検出性能に影響を及ぼすランダムアクセス設定パラメータとに基づき、第２の通信デバイスについての所望のランダムアクセス受信電力を決定する。さらに、第１の通信デバイスは、所望のランダムアクセス受信電力に基づき使用するランダムアクセス送信電力を決定し、その使用するランダムアクセス送信決定値に従って第１の通信デバイスのランダムアクセス送信電力設定を決定する。
【００１７】
この方法を実行するために、第１の通信デバイスが提供される。第１の通信デバイスは、第２の通信デバイスから無線チャネルで、ランダムアクセス送信の検出に必要なランダムアクセス受信電力を示すデータを受信するように構成された受信装置を備える。第１の通信デバイスは、受信データと、第２の通信デバイスにおけるランダムアクセス検出性能に影響を及ぼすランダムアクセス設定パラメータとに基づき、第２の通信デバイスの所望のランダムアクセス受信電力を決定するように構成された制御部をさらに備える。制御部は、所望のランダムアクセス受信電力に基づきランダムアクセス送信電力設定計画を決定するようにさらに構成される。
【００１８】
いくつかの実施形態では、通信ネットワーク内の第２の通信デバイスにおける無線チャネルを通じてデータを送信する方法が提供される。
【００１９】
第２の通信デバイスは、第１の通信デバイスからのランダムアクセス要求を第２の通信デバイスにより検出可能となるように、ランダムアクセス設定パラメータを使用して、第１の通信デバイスからの所望のランダムアクセス受信電力を決定する。次いで第２の通信デバイスは、所望のランダムアクセス受信電力およびランダムアクセス設定パラメータに基づきデータを決定し、そのデータを無線チャネルで第１の通信デバイスに送信する。
【００２０】
この方法を実行するために、第２の通信デバイスが提供される。第２の通信デバイスは、第１の通信デバイスからのランダムアクセス要求を第２の通信デバイスにより検出可能となるように、第１の通信デバイスからの所望のランダムアクセス受信電力を決定するように構成された制御部を備える。制御部は、所望のランダムアクセス受信電力およびランダムアクセス設定パラメータに基づきデータを決定するようにさらに構成される。第２の通信デバイスは、無線チャネルを通じて第１の通信デバイスにデータを送信するように構成された送信装置をさらに備える。
【００２１】
実施形態は、送信電力設定においてプリアンブルフォーマットを考慮に入れて、続くランダムアクセス手順をより効率的にする方法およびデバイスに関する。
【００２２】
実施形態について、これより添付の図面に関してより詳細に説明する。
【図面の簡単な説明】
【００２３】
【図１】通信ネットワークにおける通信デバイスの概略図である。
【図２】ＬＴＥに規定された５つのプリアンブルフォーマットについて、信号対雑音比に対する検出失敗実績を示す図である。
【図３】方法とシグナリングスキームの合成図である。
【図４】第１の通信デバイスにおける方法のフローチャート図である。
【図５】第１の通信デバイスの概略図である。
【図６】第２の通信デバイスにおける方法のフローチャート図である。
【図７】第２の通信デバイスの概略図である。
【発明を実施するための形態】
【００２４】
本発明の実施形態について、本発明の実施形態を示す添付の図面を参照しながら、以下でより詳しく説明する。しかし、本発明は多くの異なる形態で具体化可能であるため、本明細書に記載の実施形態に限定されると解釈されるべきでない。そうではなくて、これらの実施形態を提供しているのは、本開示が、徹底的かつ完全で、当業者に本発明を十分に実施できるようにするためである。同じ参照番号は、首尾一貫して同じ要素に付与されている。
【００２５】
本明細書で使用している用語は、特定の実施形態を記述するためだけであり、本発明を限定する意図はない。本明細書で使用する限り、単数形「１つ」（“ａ”“ａｎ”）および「それ」（“ｔｈｅ”）は、文脈が明らかに異なるように示さない限り、複数形も含むことを意図している。本明細書で使用するとき、用語「備える」（“ｃｏｍｐｒｉｓｅｓ”“ｃｏｍｐｒｉｓｉｎｇ”）および／または「有する」（“ｉｎｃｌｕｄｅｓ”“ｉｎｃｌｕｄｉｎｇ”）は、述べられた特徴、数、ステップ、動作、要素および／またはコンポーネントの存在を明示するが、１つ以上の他の特徴、数、ステップ、動作、要素、コンポーネントおよび／またはそれらのグループの存在または追加を排除しないことも、さらに理解されるであろう。
【００２６】
別に規定されない限り、本明細書で使用する（技術用語および科学用語を含む）すべての用語は、本発明が属する分野の当業者が一般に理解しているのと同じ意味を有する。本明細書に使用する用語は、本明細書の文脈の意味および関連技術の意味と一致する意味を有すると解釈されるべきであり、本明細書に明示的に定められない限り理想的または過度に形式的な意味で解釈されないことも、さらに理解されるであろう。
【００２７】
本発明について、本発明の実施形態による方法、装置（システム）および／またはコンピュータプログラムのブロック図および／またはフローチャート図を参照して以下に説明する。ブロック図および／またはフローチャート図のいくつかのブロックならびにブロック図および／またはフローチャート図のブロックの組み合わせは、コンピュータプログラム命令によって実施されてもよいことが理解されるであろう。このコンピュータプログラム命令は、コンピュータおよび／または他のプログラマブルデータ処理装置のプロセッサによって実行されるその命令がブロック図および／またはフローチャートの１つ以上のブロックに指定された機能／動作を実施する手段を作り出すようなマシンを生み出すために、汎用コンピュータ、専用コンピュータおよび／または他のプログラマブルデータ処理装置に提供されてもよい。
【００２８】
本発明について、移動デバイスとも呼ぶ通信デバイスの中でおよび通信デバイスで使用して、本明細書では説明する。本発明の状況では、移動デバイスは、例えば移動電話機、ＰＤＡ（携帯情報端末）、基地局、またはラップトップコンピュータなどの他のタイプのポータブルコンピュータでもよい。
【００２９】
通信ネットワークは、例えば、ＧＰＲＳネットワーク、第３世代ＷＣＤＭＡネットワーク、ＬＴＥまたは同種のものなどのセルラ移動通信ネットワークでもよい。通信における急速な発展を考慮すると、もちろん、本発明を具体化しうる未来のタイプの無線通信ネットワークもあろう。
【００３０】
通信デバイスには、ユーザ装置、基地局、制御ノード、それらの組み合わせおよび／または同種のものを含む。
【００３１】
制御部は、ただ１つの処理部または複数の処理部を備えてもよい。同様に、メモリ部は、例えば内部メモリおよび／または外部メモリなどの、ただ１つまたは複数のメモリ部を備えてもよい。
【００３２】
図１では、通信ネットワーク１内のＵＥまたは同種のものなどの通信デバイス１０の概略図が示されている。電源投入時または長い待機時間が経過した後では、ＵＥ１０は、基地局２０へのアップリンク４に同期していない。それ故、ネットワークにアクセスする第１のステップは、ネットワーク１との同期を獲得することである。これは、ＵＥ１０がダウンリンク３でシグナリングされる信号を受信し、この信号からダウンリンクタイミングの同期、周波数誤り推定値、さらにＤＬ経路損失の推定値を取得することによって行われる。
【００３３】
基地局２０は、ＵＥ１０からのランダムアクセス要求を基地局２０により検出可能となるような所望のランダムアクセス受信電力を示すインディケーション（情報）をＵＥ１０に送信する。
【００３４】
ＵＥ１０は、第２の通信デバイスについての所望のランダムアクセス受信電力の決定値に基づき、使用するランダムアクセス送信電力を決定する。所望のランダムアクセス受信電力は、受信した情報と、第２の通信デバイスにおけるランダムアクセス検出性能に影響を及ぼすランダムアクセス設定パラメータとに基づいている。
【００３５】
例えば、第２の通信デバイスにおけるランダムアクセス検出性能に影響を及ぼすランダムアクセス設定パラメータは、プリアンブルフォーマットであろう。長いプリアンブルを使用すると、ｅＮｏｄｅＢ受信部は、受信信号電力を長い時間にわたり累積することができ、それ故、短いプリアンブルに必要な信号対雑音比より小さい信号対雑音比で動作しうる。
【００３６】
他方、ＴＤＤモードにおける追加の第５のプリアンブルは、非常に短く、それ故大きい信号対雑音比を必要とする。
【００３７】
既存の解決手段を使用すると、Ｐ０，ＲＡＣＨは約３０ｄＢ幅の間隔から選択しうるが、特定のプリアンブルで使用する間隔はそれより狭い。例えば、短いＴＤＤプリアンブルは間隔の下端のＰ０，ＲＡＣＨ値では正常に動作しないのに対して、長いプリアンブルは最大のＰ０，ＲＡＣＨ値を通常必要としないであろう。
【００３８】
ＲＡ構成が異なると、同じ検出性能を実現するためにｅＮｏｄｅＢ受信部において必要となる信号電力も異なる。実施形態では、これらの異なるレベルに合わせるために送信電力を修正する。この意味することは、必要な受信電力の値の範囲が、修正のない状態より個別のプリアンブルフォーマット／基本循環シフト値および／または同種のものに良く適合することである。循環シフト値は、ルートシーケンスの循環シフト部を取得するためのパラメータであり、循環シフト値に従ってサブグループが整理されてもよい。
【００３９】
図２では、ＬＴＥに規定された５つのプリアンブルフォーマットについて、信号対雑音比に対する検出失敗実績が示されている。プリアンブルフォーマット０、１は、曲線Ｌ０、Ｌ１で示されている。プリアンブルフォーマット２および３は、曲線Ｌ２、Ｌ３で示されており、短いプリアンブルフォーマット４は曲線Ｌ４で示されている。図に示されるように、プリアンブルフォーマット３は、検出失敗率１ｅ−３を達成するために、プリアンブルフォーマット４より９ｄＢ小さい信号対雑音量を必要とする。
【００４０】
必要な送信電力を表す式にプリアンブルフォーマット依存の補正項を加えることを提案する。これは、使用するプリアンブルにより適した電力間隔の方に、所望の受信電力の範囲を上または下に移動させるものである。
【００４１】
プリアンブルフォーマットはいずれにしろＵＥに伝達されるので、ＵＥはどのプリアンブルを使用すべきかを知っており、従ってプリアンブル依存のオフセットも分かる。プリアンブルフォーマット０および１（通常の長さ）に関しては、このオフセットをゼロに、プリアンブルフォーマット２および３（長いプリアンブル）に関しては負に、プリアンブル４（非常に短いプリアンブル）に関しては正にできよう。
【００４２】
別の考え方は、ビットパターンシグナリングＰ０，ＲＡＣＨをプリアンブルフォーマットに照らして異なって解釈することである。
【００４３】
さらなる可能なやり方は、目的の異なるＰＲＡＣＨ送信に対して異なるオフセットを使用することである。例えば、ハンドオーバ後のターゲットセルにおける（タイムクリティカルな）ＰＲＡＣＨ送信に対しては、他のＰＲＡＣＨ送信と比べて正のオフセットを使用できよう。
【００４４】
ＲＡ送信電力の計算に用いられる式である
ＰＲＡＣＨ＝ｍｉｎ｛Ｐ０，ＲＡＣＨ−ＰＬ＋（Ｎ−１）ΔＲＡＣＨ，Ｐｍａｘ｝
は、ここでプリアンブルフォーマットに依存するオフセットで修正される。
ＰＲＡＣＨ＝ｍｉｎ｛Ｐ０，ＲＡＣＨ−ＰＬ＋（Ｎ−１）ΔＲＡＣＨ＋ΔＰｒｅａｍｂｌｅ，Ｐｍａｘ｝
ΔＰｒｅａｍｂｌｅに関して可能な設定は、通常の長さのプリアンブル（フォーマット０、１）、長いプリアンブル（フォーマット２、３）および短いプリアンブル（フォーマット４）に対して、例えばそれぞれ０ｄＢ、−３ｄＢおよび８ｄＢにすることであろう。Ｐ０，ＲＡＣＨに対する範囲が［−１２０，−９０］ｄＢｍであるとすると、この場合Ｐ０，ＲＡＣＨ−ΔＰｒｅａｍｂｌｅの実効範囲は、通常のプリアンブルフォーマット、長いプリアンブルフォーマットおよび短いプリアンブルフォーマットに対して、それぞれ［−１２０，−９０］、［−１２３，−９３］および［−１１２，−８２］になる。これらの間隔は、異なるプリアンブル対して通常必要な信号電力レベルにより良く適合する。
【００４５】
別の考え方は、元の式を変更しない、すなわち
ＰＲＡＣＨ＝ｍｉｎ｛Ｐ０，ＲＡＣＨ−ＰＬ＋（Ｎ−１）ΔＲＡＣＨ，Ｐｍａｘ｝
を変えないが、ビットパターンシグナリングＰ０，ＲＡＣＨの解釈を変えることである。
【００４６】
表１は、Ｐ０，ＲＡＣＨインデックス伝達値の実際のＰ０，ＲＡＣＨ値への可能なマッピングを示す。
【００４７】
【表１】
2011511515.tif 000003
【００４８】
表１では、Ｐ０，ＲＡＣＨインデックス伝達値が、プリアンブルフォーマットに応じて異なるＰ０，ＲＡＣＨ値にマッピングされている。この例では、賢明な構成のプリアンブルフォーマットの０と１、ならびに２と３は、同じマッピングを有する。
【００４９】
いくつかの実施形態では、ＲＡ送信電力の式が、ＲＡプリアンブルを組み立てるために使用される基本循環値ＮＣＳに依存したまた別の補正項で修正される。ＮＣＳ値に応じて、一定の誤認警報率（フォールスアラームレート）を維持するために異なる閾値が必要とされる。閾値が大きくなると、誤認警報率は改善するが、検出失敗という悪い影響を及ぼす。
【００５０】
ここで、Ｐ０，ＲＡＣＨインデックス伝達値を、ＮＣＳに応じて異なるＰ０，ＲＡＣＨ値にマッピングする別の考え方も可能である。
【００５１】
１つのセル内で複数のプリアンブルフォーマットが許可される場合でさえ、上記の発明が適用されることにも特に言及しておく。ＲＡを実行するためにＵＥがどのプリアンブルを選択するかに応じて、適切な補正項を適用する。
【００５２】
説明中、長さの異なるプリアンブルおよび長さに基づきプリアンブルが異なる検出能力を有すると想定した。しかし、プリアンブル間の他の違いさえ、検出能力に違いをもたらすことがある。この場合も同様に、上記の発明を適用できる。
【００５３】
同じ検出性能を実現するためには、ＲＡプリアンブルが異なると、ｅＮｏｄｅＢ受信部において必要とする信号電力が異なる。実施形態では、これらの異なるレベルに合わせるために、必要なＲＡ受信電力の伝達値に補正項を付加することを提案している。この含意することは、必要な受信電力値の範囲が、補正のないものより個別のプリアンブルに良く適合することである。
【００５４】
プリアンブルフォーマットはいずれにしろＵＥに伝達されるので、追加のシグナリングは必要ない。
【００５５】
図３を参照すると、方法とシグナリングスキームの合成図が示されている。シグナリングは、第１の通信デバイス１０と第２の通信デバイス２０との間で行われる。図示の例では、第１の通信デバイス１０がユーザ装置を備え、第２の通信デバイス２０が基地局を備える。基地局の所望の受信電力はランダムアクセス設定パラメータに基づいており、図示の例では、そのパラメータはランダムアクセス・プリアンブルフォーマットである。しかし、そのパラメータは、代わりにランダムアクセスの基本循環シフト値、その組み合わせおよび／または同種のものを備えてもよいことが理解されるべきである。
【００５６】
ステップＳ１では、基地局２０が、品質基準、ＲＡパラメータおよび／または同種のものに基づき所望の受信電力Ｐｄｅｓｉｒｅｄを計算する。
【００５７】
ステップＳ２では、基地局２０が、Ｐｄｅｓｉｒｅｄと、基地局におけるユーザ装置のランダムアクセス動作の検出性能に影響を及ぼすランダムアクセス・プリアンブルフォーマットとに基づき、電力値を示すポインタ値を決定する。
【００５８】
いくつかの実施形態では、Ｐｓｉｇｎａｌｅｄは、ランダムアクセス・プリアンブルフォーマットに関するオフセット値を考慮に入れてＰｄｅｓｉｒｅｄから計算された値である。次のステップでは、基地局が、表からＰｓｉｇｎａｌｅｄの値またはＰｓｉｇｎａｌｅｄに最も近い値を調べる。表から一致する値／最も近い値に相当するインデックス値が決定され、このインデックス値はポインタ値として使用される。
【００５９】
いくつかの実施形態では、各列がランダムアクセス設定パラメータ値に対応する複数の列を備える表で、Ｐｄｅｓｉｒｅｄが調べられる。表からＰｄｅｓｉｒｅｄまたはＰｄｅｓｉｒｅｄに最も近い値に相当するインデックス値が決定され、このインデックス値はポインタ値として使用される。
【００６０】
ステップＳ３では、基地局２０が、無線チャネルを通じて、例えばユニキャスト、ブロードキャストおよび／またはマルチキャストで、ユーザ装置１０にポインタ値を送信する。
【００６１】
ステップＳ４では、ユーザ装置１０がポインタ値を受信し、ポインタ値を読み取り、使用するランダムアクセス送信電力を決定する。
【００６２】
いくつかの実施形態では、ユーザ装置１０は、表でポインタ値を使用して、Ｐｓｉｇｎａｌｅｄを見つける。Ｐｓｉｇｎａｌｅｄと、前のシグナリングから分かっているかまたはポインタ値を伝える受信信号に基づきユーザ装置が決定するランダムアクセス・プリアンブルフォーマットとに基づき、Ｐｄｅｓｉｒｅｄが決定される。例えば、プリアンブルフォーマットに基づくオフセット電力値がＰｓｉｇｎａｌｅｄに付加される。次いでＰｄｅｓｉｒｅｄは、使用するランダムアクセス送信電力を決定するために使用される。
【００６３】
いくつかの実施形態では、ユーザ装置１０は、ポインタ値が行を指定し、ランダムアクセス・プリアンブルフォーマットが列を指定する行と列からなる表において、ポインタとランダムアクセス・プリアンブルフォーマットとを使用して、Ｐｄｅｓｉｒｅｄを決定する。
【００６４】
ステップＳ５では、ユーザ装置が、ランダムアクセス送信電力の決定値を使用するように構成された動作モードで自装置を設定する。
【００６５】
ステップＳ６では、ユーザ装置が、ランダムアクセス手順を実行し、ランダムアクセス送信電力の決定値を使用して、無線チャネルを通じて基地局にランダムアクセスデータを送信する。
【００６６】
図４では、第１の通信デバイスにおける方法のフローチャート図が示されている。方法は、第２の通信デバイスにおけるランダムアクセス検出性能に影響を及ぼすランダムアクセス設定パラメータを考慮に入れて、第１の通信デバイスの送信電力設定を決定するためである。このパラメータは、プリアンブルフォーマット、基本循環シフト値および／または同種のものでもよい。
【００６７】
ステップＳ４２では、第１の通信デバイスが、第２の通信デバイスから無線チャネルで所望のランダムアクセス受信電力を示すデータを受信する。データは、表または同種のもので使用されるポインタ値でもよい。
【００６８】
ステップＳ４４では、第１の通信デバイスが、受信データと、第２の通信デバイスにおけるランダムアクセス検出性能に影響を及ぼすランダムアクセス設定パラメータとに基づき、第２の通信デバイスの所望のランダムアクセス受信電力を決定する。
【００６９】
いくつかの実施形態では、受信データは、ランダムアクセス受信電力の表の中のランダムアクセス受信電力の伝達値を示すポインタ値を備え、所望のランダムアクセス受信電力を決定するステップは、ランダムアクセス受信電力の伝達値およびランダムアクセス設定パラメータに基づいている。所望のランダムアクセス受信電力を決定するステップは、ランダムアクセス設定パラメータに基づくオフセット値をランダムアクセス受信電力の伝達値に加算／から減算することによる、所望のランダムアクセス受信電力の計算をさらに備えてもよい。
【００７０】
いくつかの代替実施形態では、受信データは、所望のランダムアクセス受信電力の表の中の所望のランダムアクセス受信電力を示すポインタ値を備え、所望のランダムアクセス受信電力を決定するステップは、表においてポインタ値とランダムアクセス設定パラメータとの一緒の使用を備える。表は、いくつかの実施形態では、行および列を備えてもよく、それらは、ポインタ値およびランダムアクセス設定パラメータ値によって指定される。
【００７１】
ステップ４６では、第１の通信デバイスが、所望のランダムアクセス受信電力に基づき、使用するランダムアクセス送信電力を決定する。
【００７２】
いくつかの実施形態では、使用する所望のランダムアクセス送信電力を決定するステップは、第１の通信デバイスと第２の通信デバイスとの間の電力経路損失の考慮をさらに備える。
【００７３】
ステップ４８では、第１の通信デバイスが、ランダムアクセス送信電力の決定値を使用するように、動作モードで自装置を設定する。
【００７４】
オプションのステップ５０では、第１の通信デバイスが、ランダムアクセス送信電力の決定値を使用してランダムアクセス手順を実行する。
【００７５】
この方法を実行するために、第１の通信デバイスが提供される。第１の通信デバイスは、移動機、ＰＤＡ、ラップトップコンピュータなどのユーザ装置、基地局、制御装置、これらの組み合わせ、および／または同種のものでもよい。
【００７６】
図５では、ユーザ装置として例示された第１の通信デバイスの概略図が示されている。第１の通信デバイスは、第２の通信デバイスにおけるランダムアクセス送信検出性能に影響を及ぼすランダムアクセス設定パラメータを考慮に入れて第１の通信デバイスの送信電力設定計画を立てるために、第２の通信デバイスと通信するように構成されている。パラメータは、プリアンブルフォーマット、基本循環シフト値、および／または同種のものでもよい。
【００７７】
第１の通信デバイス１０は、第２の通信デバイスから無線チャネルで、第１の通信デバイスからのランダムアクセス送信の検出に必要なランダムアクセス受信電力を示す信号を受信するように構成された受信装置１０３を備える。
【００７８】
第１の通信デバイス１０は、受信データと、第２の通信デバイスにおけるランダムアクセス送信検出性能に影響を及ぼすランダムアクセス設定パラメータとに基づき、第２の通信デバイスの所望のランダムアクセス受信電力を決定するように構成された制御部１０１をさらに備える。制御部１０１は、所望のランダムアクセス受信電力に基づきランダムアクセス送信電力設定計画を決定するようにさらに構成される。いくつかの実施形態では、制御部１０１は、ランダムアクセス送信電力を決定するために、第１の通信デバイスと第２の通信デバイスとの間の電力経路損失を考慮に入れるようにさらに構成される。
【００７９】
受信データは、いくつかの実施形態では、第１の通信デバイス内のメモリ部１０７に格納されたランダムアクセス受信電力の表の中のランダムアクセス受信電力の伝達値を示すように構成されたポインタ値を備えてもよい。この場合、制御部１０１は、ランダムアクセス受信電力のポインタの伝達値およびランダムアクセス設定パラメータに基づき、所望のランダムアクセス受信電力を決定するように構成される。
【００８０】
また、制御部１０１は、ランダムアクセス設定パラメータに基づくオフセット値をランダムアクセス受信電力の伝達値に加算／から減算することによって、所望のランダムアクセス受信電力を計算するようにさらに構成されてもよい。
【００８１】
いくつかの代替実施形態では、受信データは、第１の通信デバイス内のメモリ部１０７に格納された所望のランダムアクセス受信電力の表の中の所望のランダムアクセス受信電力を示すポインタ値を備える。この場合、制御部１０１は、所望のランダムアクセス受信電力を決定するために、表においてポインタ値とランダムアクセス設定パラメータとを一緒に使用するように構成される。表は、ポインタ値およびランダムアクセス設定パラメータ値によって指定される行および列を備えてもよい。
【００８２】
いくつかの実施形態では、メモリ部１０７は、それに格納されたデータおよび表に加えて、方法を実行するために制御部１０１で実行されるように準備されたアプリケーションも有する。
【００８３】
制御部１０１は、いくつかの実施形態では、ランダムアクセス送信電力計画を使用してランダムアクセス動作を実行し、第１の通信デバイスの送信装置１０５を通じて第２の通信デバイスまたは異なる通信デバイスにランダムアクセス要求を送信するように構成されてもよい。
【００８４】
第１の通信デバイスには、ＵＥ、基地局、基地局制御装置および／または同種のものを含む。
【００８５】
図６では、無線チャネルを通じてデータを送信する第２の通信デバイスにおける方法の概略図が示されている。
【００８６】
ステップ５２では、第２の通信デバイスが、第２の通信デバイスにおけるランダムアクセス検出性能に影響を及ぼすランダムアクセス設定パラメータを使用して、第１の通信デバイスからのランダムアクセス要求を第２の通信デバイスに検出可能にするような、第１の通信デバイスからの所望のランダムアクセス受信電力を決定する。
【００８７】
ステップ５４では、第２の通信デバイスが、所望のランダムアクセス受信電力およびランダムアクセス設定パラメータに基づきデータを決定する。ランダムアクセス設定パラメータは、ランダムアクセス構成のプリアンブルフォーマット、基本循環シフト値および／または同種のものを備える。
【００８８】
いくつかの実施形態では、第２の通信デバイスが、所望のランダムアクセス受信電力およびランダムアクセス設定パラメータに基づき、ランダムアクセス受信電力の伝達値をさらに決定する。この場合、ランダムアクセス受信電力の伝達決定値に基づき、ポインタ値がランダムアクセス受信電力の伝達値の表から読み出されて、データの中に含められる。
【００８９】
いくつかの実施形態では、ランダムアクセス受信電力の伝達値は、所望のランダムアクセス受信電力およびランダムアクセス設定パラメータに基づくオフセット値から計算されてもよい。
【００９０】
いくつかの実施形態では、第２の通信デバイスは、所望のランダムアクセス受信電力の表におけるポインタをさらに決定する。ポインタ値は、所望のランダムアクセス受信電力の決定値およびランダムアクセス設定パラメータに基づいて決定される。データは、ポインタ値を備え、表は、ポインタ値およびランダムアクセス設定パラメータ値によって指定される行および列を備える、所望のランダムアクセス受信電力の表でもよい。
【００９１】
ステップ５６では、第２の通信デバイスが、データを無線チャネルで第１の通信デバイスに送信する。
【００９２】
この方法を実行するために、第２の通信デバイスが提供される。第２の通信デバイスは、基地局、制御装置、ユーザ装置、これらの組み合わせおよび／または同種のものを備えてもよい。
【００９３】
図７では、第２の通信デバイス２０の概略図が示されている。
【００９４】
第２の通信デバイス２０は、第１の通信デバイスからのランダムアクセス要求を第２の通信デバイスに検出可能にするように、第１の通信デバイスからの所望のランダムアクセス受信電力を決定するように構成された制御部２０１を備える。
【００９５】
制御部２０１は、所望のランダムアクセス受信電力と、第２の通信デバイスにおけるランダムアクセス検出性能に影響を及ぼすランダムアクセス設定パラメータとに基づき、データを決定するようにさらに構成される。ランダムアクセス設定パラメータは、ランダムアクセス構成のプリアンブルフォーマット、基本循環シフト値、および／または同種のものを備えてもよい。
【００９６】
いくつかの実施形態では、制御部２０１は、メモリ部２０７に格納された所望のランダムアクセス受信電力およびランダムアクセス設定パラメータに基づき、ランダムアクセス受信電力の伝達値を決定するようにさらに構成される。また、制御部２０１は、ランダムアクセス受信電力の伝達値の表から決定したランダムアクセス受信電力の伝達値に基づき、ポインタ値を決定するように構成される。この場合、送信データは、ポインタ値の決定値を備える。
【００９７】
この場合、制御部２０１は、計算において所望のランダムアクセス受信電力およびランダムアクセス設定パラメータに関連したオフセットを使用して、所望のランダムアクセス送信の受信電力の値を計算するように構成されてもよいことに、ここで注意すべきである。
【００９８】
いくつかの代替実施形態では、送信データは、ポインタ値を備え、制御部２０１は、所望のランダムアクセス受信電力の表のポインタ値を決定することによって、データを決定するように構成される。ポインタ値は、所望のランダムアクセス受信電力の決定値およびランダムアクセス設定パラメータに基づき決定されるように構成される。表は、ポインタ値およびランダムアクセス設定パラメータ値によって指定される行および列を備える。
【００９９】
第２の通信デバイス２０は、無線チャネルを通じて第１の通信デバイスにデータを送信するように構成された送信装置２０５をさらに備える。
【０１００】
第２の通信デバイスは、基地局、基地局制御装置、ＵＥおよび／または同種のものを備える。
【０１０１】
いくつかの実施形態では、メモリ部２０７は、それに格納されたデータおよび表に加えて、方法を実行するために制御部２０１で実行されるように構成されたアプリケーションも有する。第２の通信デバイス２０は、通信ネットワークと通信するためのネットワークインタフェース２０９と、ランダムアクセス要求および／または同種のものを受信するように構成された受信装置２０３とをさらに備えてもよい。
【０１０２】
図面および本明細書では、本発明の例示の実施形態を開示している。しかし、本発明の原理から実質的に逸脱することなしに、これらの実施形態に多くの変更および修正が行われうる。従って、具体的な用語が使用されているが、それらは一般的および説明的意味だけで使用されており、限定目的ではない。本発明の範囲は、以下の特許請求の範囲によって規定される。
【図１】
2011511515.tif 000004
【図３】
2011511515.tif 000005
【図４】
2011511515.tif 000006
【図５】
2011511515.tif 000007
【図６】
2011511515.tif 000008
【図７】
2011511515.tif 000009
【図２】
2011511515.tif 000010
【手続補正書】
【提出日】平成21年10月28日(2009.10.28)
【手続補正１】
【補正対象書類名】明細書
【補正対象項目名】０００９
【補正方法】変更
【補正の内容】
【０００９】
ｅＮｏｄｅＢにおける干渉レベル、それ故に必要となる目標受信電力Ｐ０，ＲＡＣＨも、多くの要因に依存し、広い範囲にわたって変わりうる。通常Ｐ０，ＲＡＣＨは、かなり少ないビット数例えば４ビットで符号化されて送信され、約３０ｄＢの範囲にわたる。
非特許文献１によれば、ＵＭＴＳシステムにおいて、ランダムアクセスチャネルの電力を算出する際にランダムアクセスチャネルの拡散係数を使用することが記載されている。特許文献１にも同様のランダムアクセスプロセスについて開示されている。
【手続補正２】
【補正対象書類名】明細書
【補正対象項目名】００１０
【補正方法】変更
【補正の内容】
【００１０】
【特許文献１】国際公開第２００５／０５５４６２号
【手続補正３】
【補正対象書類名】明細書
【補正対象項目名】００１１
【補正方法】変更
【補正の内容】
【００１１】
【非特許文献１】ETSI STANDARS, 20071001 LIS, Sophoa Antipolis CDEDX, Frabce- ISSN 0000-00001, Nr:V5.20.0 XP014040014
【手続補正４】
【補正対象書類名】特許請求の範囲
【補正対象項目名】全文
【補正方法】変更
【補正の内容】
【特許請求の範囲】
【請求項１】
ロング・ターム・エヴォリューション通信ネットワーク内に位置する第１通信装置において前記第１通信装置により使用されるランダムアクセス送信電力を算出する方法であって、
無線チャネルを介して第２通信装置からランダムアクセス受信電力レベルを示すデータを受信するステップと、
前記受信したデータと、前記第２通信装置におけるランダムアクセスの検出性能に影響を及ぼすランダムアクセス設定のパラメータとに基づいて、前記第２通信装置が必要とする所望のランダムアクセス受信電力レベルを決定するステップであって、前記パラメータがプリアンブルフォーマットと前記ランダムアクセス設定の基本循環シフト値との少なくとも一方を含む、前記ステップと、
前記第１通信装置と前記第２通信装置との間における電力の経路損失と、送信の試行回数に基づいて前記ランダムアクセス送信電力を増加させてゆくための電力増加分と、前記所望のランダムアクセス受信電力レベルとに基づいて、前記第１通信装置により使用されるランダムアクセス送信電力を算出するステップと
を有することを特徴とする方法。
【請求項２】
前記ランダムアクセス送信電力を決定する際に、次式、
ＰＲＡＣＨ＝ｍｉｎ｛Ｐ０，ＲＡＣＨ−ＰＬ＋（Ｎ−１）ΔＲＡＣＨ＋ΔＰｒｅａｍｂｌｅ，Ｐｍａｘ｝
を使用し、
前記ＰＲＡＣＨは、前記ランダムアクセス送信電力であり、
前記Ｐ０，ＲＡＣＨは、前記所望のランダムアクセス受信電力レベルであり、
前記ＰＬは、前記電力の経路損失であり、
前記ΔＲＡＣＨは、前記電力増加分であり、
前記Ｎは、前記送信の試行回数であり、
前記ΔＰｒｅａｍｂｌｅは、前記パラメータのオフセット値であり、
前記Ｐｍａｘは、前記ランダムアクセス送信電力の最大限度である
ことを特徴とする請求項１に記載の方法。
【請求項３】
前記決定したランダムアクセス送信電力にしたがって、前記第１通信装置についてのランダムアクセス送信電力設定を決定するステップをさらに有することを特徴とする請求項１または２に記載の方法。
【請求項４】
前記受信したデータは、ランダムアクセス受信電力レベルを登録したテーブルにおいて、信号伝達されたランダムアクセス受信電力レベルを示すポインタ値を含み、
前記第２通信装置が必要とする所望のランダムアクセス受信電力レベルを決定する前記ステップは、前記信号伝達されたランダムアクセス受信電力レベルと、前記ランダムアクセス設定のパラメータとに基づいて実行されることを特徴とする請求項１に記載の方法。
【請求項５】
前記第２通信装置が必要とする所望のランダムアクセス受信電力レベルを決定する前記ステップは、
前記信号伝達されたランダムアクセス受信電力レベルに対して、前記ランダムアクセス設定のパラメータに基づいたオフセット値を加算または減算することで、前記所望のランダムアクセス受信電力レベルを決定するステップ
を含むことを特徴とする請求項４に記載の方法。
【請求項６】
前記受信したデータは、所望のランダムアクセス受信電力レベルを登録したテーブルにおいて、所望のランダムアクセス受信電力レベルを示すポインタ値を含み、
前記第２通信装置が必要とする所望のランダムアクセス受信電力レベルを決定する前記ステップは、
前記ランダムアクセス設定のパラメータとともに、前記テーブルにおいて前記ポインタ値を使用するステップ
を含むことを特徴とする請求項１に記載の方法。
【請求項７】
前記テーブルは、複数の行と複数の列を含み、
前記複数の行と前記複数の列は、複数のポインタ値と、複数の前記ランダムアクセス設定のパラメータの値とによって定義されていることを特徴とする請求項６に記載の方法。
【請求項８】
前記ランダムアクセス送信電力設定を使用してランダムアクセスを実行するステップをさらに有することを特徴とする請求項１ないし７のいずれか１項に記載の方法。
【請求項９】
ロング・ターム・エヴォリューション通信ネットワークの第１通信装置であって、
ランダムアクセスを検出するためにランダムアクセス受信電力レベルを示すデータを無線チャネルを介して第２通信装置から受信する受信部と、
前記受信したデータと、前記第２通信装置におけるランダムアクセスの検出性能に影響を及ぼすランダムアクセス設定のパラメータとに基づいて、前記第２通信装置が必要とする所望のランダムアクセス受信電力レベルを決定し、前記所望のランダムアクセス受信電力レベルに基づいて、ランダムアクセス送信電力設定を決定する制御部とを備え、
前記パラメータは、プリアンブルフォーマットと前記ランダムアクセス設定の基本循環シフト値との少なくとも一方を含み、
前記制御部は、さらに、
前記第１通信装置と前記第２通信装置との間における電力の経路損失と、送信の試行回数に基づいて前記ランダムアクセス送信電力を増加させてゆくための電力増加分と、前記所望のランダムアクセス受信電力レベルとに基づいて、前記第１通信装置により使用されるランダムアクセス送信電力を算出することを特徴とする第１通信装置。
【請求項１０】
ロング・ターム・エヴォリューション通信ネットワークにおいて無線チャネルを介してデータ送信する第２通信装置において実行される方法であって、
ランダムアクセス設定のパラメータを使用して第１通信装置から送信されるランダムアクセスリクエストを検出できるように前記第１通信装置からのランダムアクセスリクエストについての所望のランダムアクセス受信電力レベルを決定するステップと、
前記所望のランダムアクセス受信電力レベルとランダムアクセス設定のパラメータとに基づいてデータを決定するステップと、
無線チャネルを介して前記第１通信装置へ前記決定したデータを送信するステップと
を有し、前記パラメータは、プリアンブルフォーマットと前記ランダムアクセス設定の基本循環シフト値との少なくとも一方を含むことを特徴とする方法。
【請求項１１】
前記データを決定する前記ステップは、
前記データに搭載されることになるポインタ値を決定するステップ
を含み、
信号伝達されるランダムアクセス受信電力レベルが、前記所望のランダムアクセス受信電力レベルと前記ランダムアクセス設定のパラメータとに基づいて決定され、
前記決定した信号伝達されるランダムアクセス受信電力レベルは、信号伝達されるランダムアクセス受信電力レベルを登録したテーブルから抽出されたポインタ値によって示され、該ポインタ値が前記データに搭載される
ことを特徴とする請求項１０に記載の方法。
【請求項１２】
前記信号伝達されるランダムアクセス受信電力レベルは、前記所望のランダムアクセス受信電力レベルと、前記ランダムアクセス設定のパラメータに基づいたオフセット値とから算出されることを特徴とする請求項１１に記載の方法。
【請求項１３】
前記送信されるデータには、ポインタ値が含まれ、
前記データを決定する前記ステップは、所望のランダムアクセス受信電力レベルを登録したテーブルから前記ポインタ値を決定するステップを含み、
前記ポインタ値は、前記決定した所望のランダムアクセス受信電力レベルと前記ランダムアクセス設定のパラメータの値とに基づいて決定される
ことを特徴とする請求項１０に記載の方法。
【請求項１４】
前記所望のランダムアクセス受信電力レベルを登録したテーブルは、複数の行と複数の列を含み、
前記複数の行と前記複数の列は、複数のポインタ値と、複数の前記ランダムアクセス設定のパラメータの値とによって定義されている
ことを特徴とする請求項１３に記載の方法。
【請求項１５】
前記ランダムアクセス設定のパラメータは、
プリアンブルフォーマットと、
前記ランダムアクセス設定の基本循環シフト値と
の少なくとも一方を含むことを特徴とする請求項１０ないし１４のいずれか１項に記載の方法。
【請求項１６】
ロング・ターム・エヴォリューション通信ネットワークの第２通信装置であって、
ランダムアクセス設定のパラメータを使用して第１通信装置から送信されるランダムアクセスリクエストを第２通信装置が検出できるように前記第１通信装置からのランダムアクセスリクエストについての所望のランダムアクセス受信電力レベルを決定する制御部を備え、
前記パラメータは、プリアンブルフォーマットと前記ランダムアクセス設定の基本循環シフト値との少なくとも一方を含み、
前記制御部は、さらに、
前記所望のランダムアクセス受信電力レベルと前記ランダムアクセス設定のパラメータとに基づいてデータを決定するように構成されており、
前記第２通信装置はさらに、
無線チャネルを介して前記第１通信装置へ前記決定したデータを送信する送信部
を備えることを特徴とする第２通信装置。
【国際調査報告】
2011511515.tif 000011
2011511515.tif 000012
2011511515.tif 000013